(57)【要約】【課題】スピーカ付き電話機の利便性を高める。【解決手段】本発明のスピーカ付き電話機（２０）は、電話機本体（２１０）と、電話機本体（２１０）に対して脱着自在に取り付け可能なマイク（２０２）及びスピーカ（２０３）を含むスピーカフォン機能部（２００）とを備える。スピーカフォン機能部（２００）は無線部（２０１）を備えており、電話機本体（２１０）との間で無線回線により音声信号と制御信号を送受信することにより、場所を選ばずに何処でも自由に使用することが可能となる。【選択図】      図１
2005020454.tif 000002
【特許請求の範囲】
【請求項１】
電話機本体と、前記電話機本体に対して脱着自在に取り付け可能なマイク及びスピーカを含むスピーカフォン機能部とを備える、スピーカ付き電話機。
【請求項２】
請求項１に記載のスピーカ付き電話機であって、前記電話機本体と前記スピーカフォン機能部の各々には、両者が相互に離脱している状態のときに両者間に無線回線を開いて音声信号と制御信号の送受信を行うための無線部を備えている、スピーカ付き電話機。
【請求項３】
請求項２に記載のスピーカ付き電話機であって、前記電話機本体と前記スピーカフォン機能部の各々に搭載されている前記無線部は、前記スピーカ付き電話機が通話中の際に前記電話機本体と前記スピーカフォン機能部が離脱した場合に、自動的に前記無線回線を開いて音声信号と制御信号の送受信を行うことにより通話回線を維持する、スピーカ付き電話機。
【請求項４】
請求項１乃至請求項３のうち何れか１項に記載のスピーカ付き電話機であって、前記スピーカフォン機能部が前記電話機本体に装着されている状態のときには、両者の接続部を介して音声信号と制御信号の送受信を行う、スピーカ付き電話機。
【請求項５】
請求項１乃至請求項４のうち何れか１項に記載のスピーカ付き電話機であって、前記スピーカフォン機能部は前記マイク及びスピーカに電力を供給するための二次電池を備える、スピーカ付き電話機。
【請求項６】
請求項１乃至請求項５のうち何れか１項に記載のスピーカ付き電話機であって、前記電話機本体は前記二次電池を充電するための電源部を備える、スピーカ付き電話機。
【発明の詳細な説明】
【０００１】
【発明の属する技術分野】
本発明はスピーカ付き電話機に関し、特に、スピーカフォン機能の利便性を高めるための改良技術に関する。
【０００２】
【従来の技術】
屋内通信に用いられるコードレス電話機において、親機と子機の何れか一方、又は両者にスピーカフォン機能を搭載した機種が知られている。スピーカフォン機能を搭載することで、通話者は送受話器を持たずに会話をすることができる。コードレス電話におけるスピーカフォン機能は、親機と子機の何れか一方、又は両者にマイクとスピーカを備え付けることによって、実現されていた。
【０００３】
【発明が解決しようとする課題】
しかし、親機は加入者線や外部電源線に接続する必要上、親機の設置場所には制限があるため、親機に実装されたスピーカフォンを利用しての会話には、場所的制限がある。一方、子機は小型軽量の要請からスピーカの大きさには制限があり、親機と同等のスピーカ音量を確保することは困難である。さらに、子機の充電容量にも制限があるため、スピーカフォンを利用しての通話には時間的制限があった。
【０００４】
そこで、本発明はこのような問題点を解決し、スピーカ付き電話機の利便性を高めることを課題とする。
【０００５】
【課題を解決するための手段】
上記の課題を解決するため、本発明のスピーカ付き電話機は、電話機本体と、前記電話機本体に対して脱着自在に取り付け可能なマイク及びスピーカを含むスピーカフォン機能部とを備える。電話機本体とスピーカフォン機能部を脱着可能に構成することで、電話機の設置場所の制限を受けずに、スピーカフォン機能を通じての通話を可能にできる。
【０００６】
好ましくは、前記電話機本体と前記スピーカフォン機能部の各々には、両者が相互に離脱している状態のときに両者間に無線回線を開いて音声信号と制御信号の送受信を行うための無線部が備えられている。かかる構成により、スピーカフォン機能部は場所を自在に移動して通話することが可能となる。
【０００７】
好ましくは、前記電話機本体と前記スピーカフォン機能部の各々に搭載されている前記無線部は、前記スピーカ付き電話機が通話中の際に前記電話機本体と前記スピーカフォン機能部が離脱した場合に、自動的に前記無線回線を開いて音声信号と制御信号の送受信を行うことにより通話回線を維持する。かかる構成により、通話中にスピーカフォン機能部を離脱した場合でも、通信回線を切ることなく、通話を維持できる。
【０００８】
好ましくは、前記スピーカフォン機能部が前記電話機本体に装着されている状態のときには、両者の接続部を介して音声信号と制御信号の送受信を行う。かかる構成により、スピーカフォン機能部が電話機本体に装着されている状態では、無線回線を介さずに、両者の間で音声信号と制御信号の送受信が行われることにより、スピーカフォンとしての機能が実現される。
【０００９】
好ましくは、前記スピーカフォン機能部は前記マイク及びスピーカに電力を供給するための二次電池を備える。かかる構成により、スピーカフォン機能部単体でのバッテリ駆動が可能となる。
【００１０】
好ましくは、電話機本体は前記二次電池を充電するための電源部を備える。かかる構成により、スピーカフォン機能部を電話機本体に装着するだけで自動的に充電が行われるため、利便性に優れている。
【００１１】
【発明の実施の形態】
以下、各図を参照して本発明の好適な実施形態について説明する。
【００１２】
図１は本実施形態のコードレス電話機の機能ブロック図である。
【００１３】
同図に示すように、コードレス電話機１０は、親機２０と子機３０を備えて構成されている。子機３０は、スピーカフォンとして機能するためのマイク及びスピーカを含むオーディオ部３１と、親機２０と無線通信を行うための無線部３２と、ダイヤル番号等を表示するための表示部３３と、電話番号等を入力操作するための操作キー３４と、二次電池などで構成される電源部３５を備えて構成されている。無線部３２は、シンセサイザ部とデジタル変復調部を含む送信部及び受信部（図示せず）から構成されている。
【００１４】
一方、親機２０は、スピーカフォン機能部２００と親機本体（電話機本体）２１０から構成されるスピーカ付電話機である。スピーカフォン機能部２００は、マイク２０２とスピーカ２０３を主要構成とし、コネクタなどの接続部４０を介して親機本体２１０と着脱自在に構成された機能部である。スピーカフォン機能部２００は、送話者の音声を入力するためのマイク２０２と、受話音声を増幅して拡声出力するためのスピーカ２０３と、制御チャネルを通じて親機本体２１０の制御部２１４と制御信号の送受信を行うための制御部２０４と、親機本体２１０と無線通信を行うための無線部２０１と、キー入力を行うための操作キー２０７と、二次電池などのバッテリを含む電源部２０５と、スピーカフォン機能部２００と親機本体２１０の着脱を検出するための着脱検出部２０６を備えて構成されている。無線部２０１は、シンセサイザ部とデジタル変復調部を含む送信部及び受信部から構成されている。
【００１５】
親機本体２１０は、マイク２０２に入力された送話音声をデジタル信号処理するとともに、受話音声を増幅してスピーカ２０３から拡声出力するためのオーディオ部２１３と、制御チャネルを通じてスピーカフォン機能部２００との間で制御信号の送受信を行う制御部２１４と、子機３０又はスピーカフォン機能部２００との間で無線通信を行うための無線部２１２と、キー入力を行うための操作キー２１８と、ダイヤル番号等を表示するための表示部２１１と、交流電源から供給される電力を各回路に分配するための電源部２１５と、加入者線に接続するインターフェース回路２１６と、スピーカフォン機能部２００と親機本体２１０の着脱を検出するための着脱検出部２１７を備えて構成されている。
【００１６】
親機本体２１０に装着された状態では、通常のスピーカフォンとして機能し、通話者は送受話器を持たずして、通話をすることができる。このとき、スピーカフォン機能部２００と親機本体２１０との間の各種信号（音声信号、制御信号）の送受信と、親機本体２１０からスピーカフォン機能部２００への電力供給は接続部４０を介して行われる。より詳細には、マイク２０２及びスピーカ２０３はオーディオ部２１３と接続して音声信号の送受信を行い、制御部２０４は制御部２１４と接続して制御信号の送受信を行う。電源部２０５は電源部２１５から電力の供給を受けて、各回路（無線部２０１、マイク２０２等）に供給する電力を蓄電する。
【００１７】
一方、スピーカフォン機能部２００が親機本体２１０から脱離した状態では、スピーカフォン機能部２００は親機本体２１０と無線回線を介して音声信号の送受信を行う。より詳細には、マイク２０２に入力された送話音声は、無線回線を介してオーディオ部２１３に送信され、デジタル信号処理された後に受話者の電話機宛てに送信される。また、通話相手が発した音声はオーディオ部２１３から無線回線を介してスピーカフォン機能部２００に送信され、スピーカ２０３から拡声出力される。このような構成によって、スピーカフォン機能部２００は親機本体２１０と無線通信可能な場所であれば、特に制限されることなく、如何なる場所においても通話可能となる。
【００１８】
スピーカフォン機能部２００と親機本体２１０のそれぞれには、両者の着脱を検出するための着脱検出部２０６，２１７が備え付けられている。スピーカフォン機能部２００が親機本体２１０から離脱したことを着脱検出部２０６，２１７が検出すると、スピーカフォン機能部２００は親機本体２１０との間で自動的に無線回線を開き、スピーカフォン機能部２００と親機本体２１０との間の通信を確立する。これにより、親機２０の通話中にスピーカフォン機能部２００を離脱した場合であっても、通話回線を切らずにスピーカフォン機能部２００を用いて通話を維持することができる。もとより、スピーカフォン機能部２００が親機本体２１０に装着されている状態では、スピーカフォン機能部２００と親機本体２１０との間の無線回線は遮断され、接続部４０を介して音声信号と制御信号の送受信を直接行う。
【００１９】
尚、マイク２０２とスピーカ２０３は、従来の親機に設置されていたマイク及びスピーカと同等の大きさのものをそのまま使用できるため、親機本体２１０から脱離しているときのスピーカフォン機能部２００のスピーカ音量は、親機本体２１０に設置されているときのスピーカ音量と同等である。また、電源部２０５には十分な時間にわたり無線通信を行うに足りる容量で蓄電されるため、単体でのバッテリ駆動が可能となり、従来の親機のスピーカフォンと同等の通信性能が確保されている。
【００２０】
図２はスピーカフォン機能部２００の平面図（Ａ）、及び側面図（Ｂ）を示している。同図（Ａ）に示すように、スピーカフォン機能部２００の主要部分を構成する本体部２０８には、マイク２０２、スピーカ２０３、及び操作キー２０７が備え付けられている。同図（Ｂ）に示すように、本体部２０８は回転軸２０９ａを介して台座２０９に対して回動自在に軸止されており、マイク２０２とスピーカ２０３の向きを自在に変えられるように構成されている。このような構成によれば、マイク２０２とスピーカ２０３に指向性がある場合であっても、例えば、会議室などにおいて多人数の通話者がマイク２０２とスピーカ２０３の向きを適宜変えることによって、良好な感度で通話を行うことができる。
【００２１】
以上、説明したように、本実施形態によれば、スピーカフォン機能部２００を親機本体２１０に対して脱着可能に構成し、単体でのバッテリ駆動を可能にしつつ、親機本体２１０との無線通信を可能ならしめたことにより、加入者線の敷設場所などに限定されることなく、スピーカフォン機能部２００を使用することができる。また、スピーカフォン機能部２００を親機本体２１０に装着した状態では、親機２０を通常のスピーカフォンとして利用できるため、利便性が高い。さらに、親機２０が通話中であっても、スピーカフォン機能部２００と親機本体２１０が離脱したことを着脱検出部２０６，２１７が検出すると、両者の間に自動的に無線回線が開いて音声信号の送受信が行われるため、利便性に優れている。
【００２２】
【発明の効果】
本発明によれば、電話機本体とスピーカフォン機能部を脱着可能に構成することで、電話機の設置場所の制限を受けずに、スピーカフォン機能を通じての通話を可能にできる。
【図面の簡単な説明】
【図１】本実施形態のコードレス電話機の機能ブロック図である。
【図２】スピーカフォン機能部の平面図（Ａ）と側面図（Ｂ）である。
【符号の説明】
１０…コードレス電話機  ２０…親機  ３０…子機  ３１…オーディオ部  ３２…無線部  ３３…表示部  ３４…操作キー  ３５…電源部  ２００…スピーカフォン機能部  ２０１…無線部  ２０２…マイク  ２０３…スピーカ  ２０４…制御部  ２０５…電源部  ２０６…着脱検出部  ２０７…操作キー  ２１０…親機本体  ２１１…表示部  ２１２…無線部  ２１３…オーディオ部  ２１４…制御部  ２１５…電源部  ２１６…インターフェース回路  ２１７…着脱検出部  ２１８…操作キー
【図１】
2005020454.tif 000003
【図２】
2005020454.tif 000004